【事件の表示】
　国際登録第８５４４９１号に係る国際登録出願の拒絶査定不服に対する審判事件について、次のとおり審決する。
【結論】
　原査定を取り消す。
　本願商標は、登録すべきものとする。
【理由】
１　本願商標
　本願商標は、別掲（１）に示すとおりの構成からなり、第３類、第９類、第１４類、第１８類、第２５類及び第３５類に属する国際登録において指定された商品及び役務を指定商品及び指定役務として、２００４年（平成１６年）７月２９日にＰｏｒｔｕｇａｌにおいてした商標録出願に基づいてパリ条約第４条による優先権を主張し、２００５年（平成１７年）１月２７日を国際登録の日とするものである。その後、指定商品及び指定役務については、２００６（平成１８年）年６月９日付けの手続補正書により、第３類「Ｓｏａｐｓ，ｌａｕｎｄｒｙ　ｐｒｅｐａｒａｔｉｏｎｓ，ｅｓｐｅｃｉａｌｌｙ　ｄｅｔｅｒｇｅｎｔｓ　ｆｏｒ　ｗａｓｈｉｎｇ　ａｎｄ　ｂｌｅａｃｈｉｎｇ．」、第９類「Ｓｐｅｃｔａｃｌｅｓ；ｓｕｎｇｌａｓｓｅｓ；ｓｐｅｃｔａｃｌｅ　ｆｒａｍｅｓ　ａｎｄ　ｌｅｎｓｅｓ；ｃｏｎｔａｃｔ　ｌｅｎｓｅｓ；ｏｐｔｉｃａｌ　ｇｌａｓｓｅｓ；ｍａｇｎｉｆｙｉｎｇ　ｇｌａｓｓｅｓ；ｐａｒｔｓ　ａｎｄ　ａｃｃｅｓｓｏｒｉｅｓ　ｆｏｒ　ａｌｌ　ｔｈｅ　ａｂｏｖｅ　ｇｏｏｄｓ　ｎｏｔ　ｉｎｃｌｕｄｅｄ　ｉｎ　ｏｔｈｅｒ　ｃｌａｓｓｅｓ．」、第１４類「Ｗａｔｃｈｅｓ，ｗｒｉｓｔ　ｗａｔｃｈｅｓ，ｊｅｗｅｌｌｅｒｙ，ｕｎｗｏｒｋｅｄ　ｐｒｅｃｉｏｕｓ　ｓｔｏｎｅｓ　ａｎｄ　ｉｍｉｔａｔｉｏｎ　ｇｅｍｓ；ｏｒｎａｍｅｎｔｓ　ｆｏｒ　ｐｅｒｓｏｎａｌ　ｕｓｅ；ｓｈｏｅ　ｄｅｃｏｒａｔｉｏｎｓ　ｏｆ　ｐｒｅｃｉｏｕｓ　ｍｅｔａｌ；ｌｅａｔｈｅｒ　ｋｅｙ　ｈｏｌｄｅｒｓ；ｒｅｃｅｐｔａｃｌｅｓ　ｏｆ　ｐｒｅｃｉｏｕｓ　ｍｅｔａｌｓ　ｆｏｒ　ｃｏｓｍｅｔｉｃｓ；ｓｍｏｋｅｒｓ’　ａｒｔｉｃｌｅｓ　ｏｆ　ｐｒｅｃｉｏｕｓ　ｍｅｔａｌｓ．」、第１８類「Ｂａｇｓ，ｈａｎｄｂａｇｓ，ｔｒａｖｅｌｌｉｎｇ　ｂａｇｓ，ｂｒｉｅｆｃａｓｅｓ，ｌｅａｔｈｅｒ　ｃａｓｅｓ　ｆｏｒ　ｃｒｅｄｉｔ　ｃａｒｄｓ，ｗａｌｌｅｔｓ，ｌｅａｔｈｅｒ　ｂｒｉｅｆｃａｓｅｓ，ｌｅａｔｈｅｒ　ｃｏｖｅｒｉｎｇｓ　ｆｏｒ　ａｄｄｒｅｓｓ　ｂｏｏｋｓ，ｐｕｒｓｅｓ，ｔｒｕｎｋｓ，ｖａｌｉｓｅｓ，ｌｅａｔｈｅｒ　ａｒｔｉｃｌｅｓ　ｎｏｔ　ｉｎｃｌｕｄｅｄ　ｉｎ　ｏｔｈｅｒ　ｃｌａｓｓｅｓ，ｓｐｏｒｔｓ　ｂａｇｓ　ｎｏｔ　ｉｎｃｌｕｄｅｄ　ｉｎ　ｏｔｈｅｒ　ｃｌａｓｓｅｓ，ｂａｇｓ　ｆｏｒ　ｓｐｏｒｔｓ　ｅｑｕｉｐｍｅｎｔ，ｔｏｉｌｅｔ　ｂａｇｓ（ｎｏｔ　ｆｉｔｔｅｄ）；ｇａｒｍｅｎｔ　ｂａｇｓ（ｆｏｒ　ｔｒａｖｅｌ）．」、第２５類「Ｌｅａｔｈｅｒ　ｃｌｏｔｈｉｎｇ，ｂｅｌｔｓ，ｌｅａｔｈｅｒ　ｃｏａｔｓ，ｃｌｏｔｈｉｎｇ　ａｃｃｅｓｓｏｒｉｅｓ　ｍａｄｅ　ｏｆ　ｌｅａｔｈｅｒ，ｎａｍｅｌｙ　ｇｌｏｖｅｓ，ｈｅａｄｇｅａｒ，ｂｅｌｔｓ；ｓｈｏｅｓ，ｓｐｏｒｔｓ　ｓｈｏｅｓ，ｂｏｏｔｓ，ｓｌｉｐｐｅｒｓ，ｏｖｅｒｓｈｏｅｓ；ｓｕｉｔｓ，ｊａｃｋｅｔｓ，ｔｒｏｕｓｅｒｓ，ｊｅａｎｓ，ｓｋｉｒｔｓ，ｄｒｅｓｓｅｓ，ｃｏａｔｓ，ｏｖｅｒｃｏａｔｓ，ｃａｐｅｓ，ｒａｉｎｃｏａｔｓ，ｐａｒｋａｓ，ｐｕｌｌｏｖｅｒｓ，ｓｈｉｒｔｓ，Ｔ−ｓｈｉｒｔｓ，ｂｌｏｕｓｅｓ，ｊｕｍｐｅｒｓ，ｕｎｄｅｒｇａｒｍｅｎｔｓ，ｓａｃｑｕｅｓ，ｄｒｅｓｓｉｎｇ　ｇｏｗｎｓ，ｂａｔｈ　ｒｏｂｅｓ，ｓｈａｗｌｓ，ｇｌｏｖｅｓ，ｃａｐｓ　ａｎｄ　ｈａｔｓ，ｃａｐ　ｐｅａｋｓ，ｓａｓｈｅｓ　ｆｏｒ　ｗｅａｒ．」及び３５類「Ｔｈｅ　ｂｒｉｎｇｉｎｇ　ｔｏｇｅｔｈｅｒ，ｆｏｒ　ｔｈｅ　ｂｅｎｅｆｉｔ　ｏｆ　ｏｔｈｅｒｓ，ｏｆ　ｃｌｏｔｈｉｎｇ，ｆｏｏｔｗｅａｒ　ａｎｄ　ｈｅａｄｇｅａｒ　ａｎｄ　ｔｈｅｉｒ　ａｃｃｅｓｓｏｒｉｅｓ，ａｓ　ｗｅｌｌ　ａｓ　ｌｅａｔｈｅｒ　ａｒｔｉｃｌｅｓ，ｓｐｅｃｔａｃｌｅｓ　ａｎｄ　ｐｅｒｆｕｍｅｒｙ（ｅｘｃｌｕｄｉｎｇ　ｔｈｅ　ｔｒａｎｓｐｏｒｔ　ｔｈｅｒｅｏｆ），ｅｎａｂｌｉｎｇ　ｃｕｓｔｏｍｅｒｓ　ｔｏ　ｃｏｎｖｅｎｉｅｎｔｌｙ　ｖｉｅｗ　ａｎｄ　ｐｕｒｃｈａｓｅ　ｔｈｏｓｅ　ｇｏｏｄｓ．」となったものである。
２　原審の拒絶の理由
　原査定は、「本願商標は、次の各登録商標と同一又は類似する商標であって、その商標に係る指定商品と同一又は類似する商品について使用するものであるから、商標法第４条第１項第１１号に該当する。」旨認定、判断し、本願を拒絶した。
　（１）登録第４０５２７５５号商標
「アールブイ」の片仮名文字からなり、平成５年３月３日に登録出願、第３類に属する商標登録原簿に記載のとおりの商品を指定商品として、同９年９月５日に設定登録、その後、同１９年９月５日に存続期間が満了し、同２０年５月２１日に商標権の抹消の登録がなされたものである。
　（２）登録第４０６０８０７号商標
　別掲（２）に示すとおりの構成からなり、平成８年４月１８日に登録出願、第３類に属する商標登録原簿に記載のとおりの商品を指定商品として、同９年９月２６日に設定登録、その後、同１９年９月２６日に存続期間が満了し、同２０年６月１８日に商標権の抹消の登録がなされたものである。
　（３）登録第４５８３０５８号商標
　別掲（３）に示すとおりの構成からなり、平成１３年２月２６日に登録出願、第１８類に属する商標登録原簿に記載のとおりの商品を指定商品として、同１４年７月５日に設定登録がなされ、現に有効に存続しているものである。
　（４）登録第４５８３０５９号商標
　別掲（３）に示すとおりの構成からなり、平成１３年２月２６日に登録出願、第２５類に属する商標登録原簿に記載のとおりの商品を指定商品として、同１４年７月５日に設定登録がなされ、現に有効に存続しているものである。
　（５）登録第４６６８０５９号商標
　別掲（３）に示すとおりの構成からなり、平成１４年６月１３日に登録出願、第１４類に属する商標登録原簿に記載のとおりの商品を指定商品として、同１５年５月２日に設定登録がなされ、現に有効に存続しているものである。以下、上記（１）〜（５）を纏めていうときには「引用商標」という。
３　当審の判断
　本願商標は、別掲（１）に示したとおり、欧文レタリングの一種であるパレススクリプト体と思しき書体で「Ｒ」と「Ｖ」を表し、その各文字の右下部に「．」を施した構成からなるものである。
　ところで、ローマ字の２字は、商品の記号・符号表示の一類型として普通に使用されているものであるから、記号・符号表示として普通に使用される態様で表されたものは、その文字のみでは独立して自他商品の識別標識としての機能を果たし得ないものといえる。
　そうすると、本願商標は、文字のレタリングと「．」との組合せによる形状の特殊性故に自他商品の識別標識としての機能を果たし得るとしても、ローマ字の部分から生ずる「アールブイ」の称呼は、それ自体では、自他商品の識別標識としての機能を果たし得ないものとみるのが相当である。
　したがって、本願商標から「アールブイ」の称呼を生ずるとし、その上で、本願商標と引用商標とが称呼上類似するものとして、本願商標を商標法第４条第１項第１１号に該当するとした原査定は、取消を免れない。
　その他、政令で定める期間内に本願について拒絶の理由を発見しない。
　よって、結論のとおり審決する。
　なお、原査定で拒絶の理由として引用した登録第４０５２７５５号商標及び登録第４０６０８０７号商標は、前記２のとおり、存続期間満了により消滅し、商標権の抹消の登録がなされていることを申し添える。